(57)【要約】【課題】電子ペーパーを情報表示の媒体とした情報の複製と配布を簡便に実施できる電子プリンタシステムを提供すること。【解決手段】相互に無線通信可能な転送装置１および表示装置２ａを備えた電子プリンタシステムであって、転送装置１は、ＰＣ４にケーブル５ａで直接接続できる手段、または、ＰＣに有線でネットワークを経由して接続できる手段のいずれかのＰＣインタフェース手段と、ＰＣ４上で動作するソフトウェアと連動して、ＰＣ４から送られた個別データを受信・抽出し、得た情報を電磁波に変換してアンテナより出力できる手段を備え、表示装置２ａは、表示を無電源で保持できる書換え可能な電子表示デバイスと無線タグの構成に見られるような電磁波を受けるアンテナと、さらに、受信した情報を蓄積し、情報より表示画像を電子表示デバイスへ記録する手段と、これらを制御する手段を有する。【選択図】図１
2008258879.tif 000002
【特許請求の範囲】
【請求項１】
表示機能（以下、モニター装置と記す）を有したパソコンなどのコンピュータ装置（以下、ＰＣと記す）に接続し、相互に無線通信可能な転送装置および表示装置を備えた電子プリンタシステムであって、
前記転送装置は、ＰＣに接続するインタフェース手段や無線通信手段を備え、
前記表示装置は、無電源状態で表示状態を保持し、磁気や電界等の印可により画像を表示する表示デバイス（以下、電子ペーパーと記す）や無線通信手段を備え、受信情報に基づいた画像を生成し前記電子ペーパーへ画像を記録する手段や動作を制御する制御回路を有し、前記ＰＣは、前記表示機能とは別の、前記表示装置へ出力する情報の作成と管理を行うプログラムを備え、前記ＰＣの情報を非接触で前記表示装置へ情報伝送することを特徴とする電子プリンタシステム。
【請求項２】
個別ＩＤ（識別記号）を表示装置に設け、前記転送装置を通してＩＤ情報をパソコン上のプログラムで認識し、認識したＩＤと事前の処理手順に応じて情報の作成や様々な管理をできるようにしたことを特徴とする請求項１に記載の電子プリンタシステム。
【請求項３】
前記ＰＣのモニター画面の表示画像と前記表示装置の表示画像を連動させて表示画像を変更するデータ処理を備え、ファイルがＰＣのモニター装置から表示装置へ視覚的に移動しているように見えるようにしたことを特徴とする請求項１及び２に記載の電子プリンタシステム。
【請求項４】
前記表示装置において、表示部の画素電極駆動回路にフリップフロップを含めた論理回路を備え、画素電極駆動回路どおしを接続して構成したことを特徴とする請求項１〜３に記載の電子プリンタシステム。
【請求項５】
電磁波を出力する電力供給機能を有する転送装置と、その電磁波から電力を取出す受電回路とその電力を蓄える蓄電池を有する表示装置を備え、表示装置は外部電源や乾電池の搭載が不要で動作することを特徴とする請求項１〜４に記載の電子プリンタシステム。
【請求項６】
前記転送装置において、バネで可動するクリップを備え、前記ＰＣのモニター装置に前記転送装置を挟んで取付ける、もしくは、モニター装置へ粘着材で貼付する固定部材を備え、クリップでその固定部材へ挟んで取付けることを特徴とする請求項１〜５に記載の電子プリンタシステム。
【請求項７】
前記転送装置において、電磁波を出力するアンテナ部をクリップ部や本体部と分離しその連結に回動機構を備え、取付けたモニター画面に対して転送装置のアンテナ部の角度を任意の角度に回動することを特徴とする請求項１〜６に記載の電子プリンタシステム。
【請求項８】
前記システムの表示装置において、表示部が前記電子ペーパーとのコネクタを有し、前記電子ペーパーが前記表示装置から分離することを特徴とする請求項１〜７に記載の電子プリンタシステム。
【請求項９】
前記ＰＣとネットワークで接続するサーバー装置を備え、前記表示装置へ転送するデータと利用者の認証管理を前記サーバー装置で一元管理するプログラムを備えることを特徴とする請求項１〜８に記載の電子プリンタシステム。
【請求項１０】
前記転送装置が、個別の識別記号を有し、他のＰＣから転送装置を接続しているＰＣやその転送装置の識別情報を把握することを特徴とする請求項１〜９に記載の電子プリンタシステム。
【請求項１１】
前記転送装置が、前記ＰＣに無線で接続する手段を有したことを特徴とする請求項１〜１０に記載の電子プリンタシステム。
【請求項１２】
前記転送装置や表示装置が、ブザーの鳴動などの警告手段を有していることを特徴とする請求項１〜１１に記載の電子プリンタシステム。
【請求項１３】
前記システムの転送装置が、表示手段を有していることを特徴とする請求項１〜１２に記載の電子プリンタシステム。
【請求項１４】
前記システムのＰＣ用プログラムが、複数の個別のＰＣへインストールでき、各ＰＣ上のプログラムが連携して動作し、情報管理と処理を行うことができることを特徴とする請求項１〜１３に記載の電子プリンタシステム。
【請求項１５】
前記表示装置において、電子ペーパーへの記録部が有機半導体により回路を構成していることを特徴とする請求項１〜１４に記載の電子プリンタシステム。
【請求項１６】
前記表示装置と転送装置に使用するアンテナが有機材料で形成していることを特徴とする請求項１〜１５に記載の電子プリンタシステム。
【請求項１７】
前記表示装置において、蓄電池残量検出手段を備え、その結果を表示装置に表示することを特徴とする請求項１〜１６に記載の電子プリンタシステム。
【請求項１８】
前記表示装置において、表示部とその記録制御回路を除いたアンテナなどの回路を、前記表示装置の１辺に配置したことを特徴とする請求項１〜１７に記載の電子プリンタシステム。
【請求項１９】
前記転送装置が、ＰＣのポインティングデバイス（例えば、マウス機能）機能を備えたことを特徴とする請求項１〜１８に記載の電子プリンタシステム。
【発明の詳細な説明】
【技術分野】
【０００１】
本発明は可読・可搬性が高く情報管理し易い電子ペーパーを利用した情報配信システム（以下、電子プリンタシステムと記す）に関するものである。
【背景技術】
【０００２】
従来、電子情報を可読性と可搬性の高い紙出力で見たい場合は、パソコン（以下、ＰＣと記す）からＰＣに接続したプリンタ、または、ネットワークに接続したプリンタへ、その情報を印刷指示し、プリンタにより画像を用紙または電子ペーパー上に形成し、個人利用する形態のものがある。
【０００３】
また、用紙上に画像の形態で存在している情報を個人用に利用する場合は、複写機でコピーする、もしくは、画像スキャナで読取り電子情報化して、それをプリンタから用紙へ出力する形態のものがある。
【０００４】
電子化された情報を紙ではなく、ＰＤＡやノート型ＰＣへ無線ＬＡＮによる無線通信によって、ＰＣから情報を転送する形態のものが商品化されている。
【０００５】
同様に、携帯可能なノート型ＰＣを無線ＬＡＮなどでネットワークシステムに接続して、情報を利用する形態のものや、（特許文献１）に記載の情報提供システムのように、コンテンツコードを読み取って、ペーパー状表示媒体に表示させるものがある。
【０００６】
（特許文献２）に記載のデータ表示機能付き無線タグでは、物流管理システムで使用する目的の表示機能の付いた一体型の無線タグの基本構成を示したものがある。
【特許文献１】特開２００３−３３３００１号公報
【特許文献２】特開２００２−２３６８９１号公報
【発明の開示】
【発明が解決しようとする課題】
【０００７】
しかしながら、前記従来のＰＣから情報をプリンタへ用紙に出力する場合や、他のノート型ＰＣやＰＤＡへ転送する例では、ＰＣから印刷操作や転送操作を行うので、情報の移動が視覚的に不連続であるために、印刷出力した紙を取りに行き忘れたり、今何がおこなわれているのかが認識されないという課題を有していた。
【０００８】
さらに、情報の出力には必ず、ＰＣ上での各種出力操作が必要であり、特に企業内などではＰＣ周辺環境のネットワーク化により、多くのプリンタや装置が接続されていることから、その出力先の指定や出力機に対する多様な設定操作が必要となり、ユーザー側の操作がより煩雑化している。
【０００９】
本発明は、前記課題を解決するためのもので、電子ペーパーを情報表示の媒体とした情報の複製と配布を簡便に実施できる電子プリンタシステムを提供することを目的とする。
【課題を解決するための手段】
【００１０】
この課題を解決するために、本発明の電子プリンタシステムは、相互に無線通信可能な転送装置および表示装置を備えた電子プリンタシステムであって、前記転送装置は、ＰＣにケーブルで直接接続できる手段、または、ＰＣに有線でネットワークを経由して接続できる手段のいづれかのＰＣインタフェース手段と、ＰＣ上で動作するソフトウェアと連動して、ＰＣから送られた個別データを受信・抽出し、得た情報を電磁波に変換してアンテナより出力できる手段を備え、前記表示装置は、表示を無電源で保持できる書換え可能な電子表示デバイス（以下、電子ペーパーと記す）と無線タグの構成に見られるような電磁波を受けるアンテナと、さらに、受信した情報を蓄積し、情報より表示画像を電子ペーパーへ記録する手段とこれらを制御する手段を備えたものである。
【発明の効果】
【００１１】
本発明によれば、ＰＣに接続してそのモニター画面に装着した転送装置へ、携帯型表示装置を近接させるだけで、ＰＣの画面に表示させていた情報を表示装置へコピーできるという有効な効果が得られる。
【発明を実施するための最良の形態】
【００１２】
本発明の請求項１に記載の発明は、相互に無線通信可能な転送装置および表示装置を備えた電子プリンタシステムであって、転送装置は、ＰＣに接続できるＰＣインタフェース手段とＰＣ上で動作するソフトウェアと連動しＰＣから送られた個別データを電磁波に変換して出力できる手段を備え、表示装置は、通信手段と受信情報を蓄積し表示画像を電子ペーパーへ記録する手段を備えているので、表示装置を転送装置へ近接するだけで情報をコピー表示できるという作用を有する。
【００１３】
本発明の請求項２に記載の発明は、請求項１記載の発明において、表示装置と転送装置が個別ＩＤ（識別記号）を通知する手段を備えているので、認識したＩＤと事前の処理手順に応じて情報の作成や情報出力に関する様々な管理ができるという作用を有する。
【００１４】
本発明の請求項３に記載の発明は、請求項１または請求項２記載の発明において、ＰＣのモニター画面の表示画像と表示装置の表示画像を連動させて表示画像を変更するようにデータ処理を行うことで、ファイルがＰＣのモニター装置から表示装置へ視覚的に移動しているように見えるという作用を有する。
【００１５】
本発明の請求項４に記載の発明は、請求項１〜３の何れか一項に記載の発明において、表示装置表示部の電極制御回路にフリップフロップを含めた論理回路を設けているので、スクロール表示動作を少ない表示画素書き込み回数で行え、消費電力が低減できるという作用を有する。
【００１６】
本発明の請求項５に記載の発明は、請求項１〜４の何れか一項に記載の発明において、転送装置が電磁波を出力する電力供給機能を供え、表示装置がその電磁波から電力を取出す受電回路とその電力を蓄える蓄電池を備えているので、表示装置は外部電源や乾電池の搭載が不要であり、表示装置の軽量化とメンテナンス不要という作用を有する。
【００１７】
本発明の請求項６に記載の発明は、請求項１〜５の何れか一項に記載の発明において、転送装置はバネで可動するクリップを備えているので、モニター画面に簡単に取付けできるという作用を有する。
【００１８】
本発明の請求項７に記載の発明は、請求項１〜６の何れか一項に記載の発明において、転送装置は電磁波を出力するアンテナ部をクリップ部や本体部と分離し、その連結に回動機構を備えているので、表示装置に対して近接させやすい任意の角度に調整できるという作用を有する。
【００１９】
本発明の請求項８に記載の発明は、請求項１〜７の何れか一項に記載の発明において、表示装置は画像表示をしている電子ペーパー部を表示装置から分離できるので、画像記録後に紙のようにより軽い状態で視認できるという作用を有する。
【００２０】
本発明の請求項９に記載の発明は、請求項１〜８の何れか一項に記載の発明において、電子プリンタシステムは、ＰＣとネットワークで接続したサーバー装置を備えているので、表示装置へ転送するデータと利用者の認証管理をサーバー装置で一元管理できるという作用を有する。
【００２１】
本発明の請求項１０に記載の発明は、請求項１〜９の何れか一項に記載の発明において、ＰＣに接続された転送装置の個別の識別記号を他のＰＣから把握できる機能を備えているので、転送装置を接続していないＰＣからでも表示装置へ情報を転送できるという作用を有する。
【００２２】
本発明の請求項１１に記載の発明は、請求項１〜１０の何れか一項に記載の発明において、転送装置がＰＣに接続する無線通信手段を備えているので、転送装置のモニター装置への取付けにおける距離的な制約が解消できるという作用を有する。
【００２３】
本発明の請求項１２に記載の発明は、請求項１〜１１の何れか一項に記載の発明において、転送装置や表示装置がブザー鳴動などの警告手段を備えているので、利用者への報知が確実にできるという作用を有する。
【００２４】
本発明の請求項１３に記載の発明は、請求項１〜１２の何れか一項に記載の発明において、転送装置が表示手段を備えているので、利用者への報知がさらに確実にできるという作用を有する。
【００２５】
本発明の請求項１４に記載の発明は、請求項１〜１３の何れか一項に記載の発明において、転送装置の接続されたＰＣで動作するプログラムは、他のＰＣにインストールした同じプログラムと双方向に通信制御できる機能を備えているので、１つのＰＣから他の複数のＰＣに接続している転送装置から情報を転送できるという作用を有する。
【００２６】
本発明の請求項１５に記載の発明は、請求項１〜１４の何れか一項に記載の発明において、表示装置の電子ペーパーへの記録部が有機半導体により回路を構成しているので、表示装置の電子ペーパー部を薄型・軽量・フレキシブルにできるという作用を有する。
【００２７】
本発明の請求項１６に記載の発明は、請求項１〜１５の何れか一項に記載の発明において、表示装置と転送装置は、アンテナを有機材料で形成しているので、表示装置を薄型・軽量・フレキシブルにできるという作用を有する。
【００２８】
本発明の請求項１７に記載の発明は、請求項１〜１６の何れか一項に記載の発明において、表示装置が蓄電池残量検出手段とその表示手段を備えているので、利用者に表示装置の画面書換え可能ページ枚数や充電時期などの動作付加情報を報知できるという作用を有する。
【００２９】
本発明の請求項１８に記載の発明は、請求項１〜１７の何れか一項に記載の発明において、表示装置の表示部とその記録制御回路を除いたアンテナなどの回路を装置の一辺に配置しているので、利用者が手に持ちやすい状態で見ることができるという作用を有する。
【００３０】
本発明の請求項１９に記載の発明は、請求項１〜１８の何れか一項に記載の発明において、転送装置にポインティングデバイス（例えば、マウス）の機能を備えているので、利用者がマウス操作を行うことで継続して出力操作をすることができるという作用を有する。
【００３１】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は実施の形態に限定されるものではない。
【００３２】
（実施の形態１）
図１は、本発明の実施の形態１における電子プリンタシステムの構成図、図２は、本発明の実施の形態１における転送装置のブロック図、図３は、本発明の実施の形態１における表示装置のブロック図、図４は、本発明の実施の形態１における電子ペーパーの説明図、図５は、本発明の実施の形態１における転送装置を取付けた概要図、図６は、本発明の実施の形態１における表示装置の構成を示す図、図７は、本発明の実施の形態１における使用時の操作を示す概要図、図８は、本発明の実施の形態１における使用時の表示例を示す図である。
【００３３】
図１において、本実施の形態の電子プリンタシステムは、転送装置１、携帯型表示装置（以下、表示装置と記す。）２ａと２ｂ、ＰＣ４、接続ケーブル５、ＰＣ４にインストールされた電子プリンタシステムのためのＰＣ用プログラム３、ＰＣ用の表示手段６（以下、モニター装置と記す。）からなる。
【００３４】
図１で、転送装置１は、ＰＣ４と接続ケーブル５ａで接続され、モニター装置６もＰＣ４と接続ケーブル５ｂで接続されている。また、転送装置１と表示装置２ａは、無線で通信接続されている。ここで、表示装置２ｂは転送装置１と無線通信していない。
【００３５】
尚、本図では、ＰＣ４とモニター装置６と転送装置１がケーブルで接続されているが、無線ＬＡＮのような手段にて、無線で接続することもできる。また、転送装置１が接続される装置をＰＣとしているが、ＰＤＡや家庭電化機器などのコンピュータ搭載機器であってもよい。
【００３６】
このような電子プリンタシステムにおいて、ＰＣ４内でモニター装置６に表示している情報を、転送装置１を経由して、所定の１つもしくは複数の表示装置２へ情報を表示出力させる。
【００３７】
まずは、図２〜図７により、図１に示した基本システム構成を詳細に説明する。
【００３８】
図２に示すように、電子プリンタシステムを構成する転送装置１は、ＣＰＵ１１、ＲＯＭやＲＡＭなどのＲＯＭ／ＲＡＭ１２、ＰＣ  Ｉ／Ｆ１３ａ、アンテナ駆動回路１４、アンテナ１５、蓄電池１６、ブザー駆動回路１７、ブザー１８を備えている。
【００３９】
ここで、ＣＰＵ１１はＲＯＭやＲＡＭの記憶手段１２に搭載したプログラムにより、転送装置１の内部動作を制御する。また、転送装置１は、ＰＣ４と例えば、ＵＳＢ２．０仕様でケーブルにて、ＰＣ  Ｉ／Ｆ１３ａにて接続する。したがって、転送装置１は、ＰＣに接続したケーブルから電力の供給を受け、これを蓄電池１６に蓄えて、この電力にて動作できる。１Ｐは、各回路ブロックへ供給される蓄電池１６から出力される直流電源パワーである。アンテナ１５はアンテナ駆動回路１４で駆動される。ここで、アンテナ駆動回路１４は、キャリア周波数を変調するための図示していない変調回路を備え、ＣＰＵ１１からの指令で送信するデータに応じてキャリア周波数をオン・オフ制御し、搬送波の振幅（Ａｍｐｌｉｔｕｄｅ）の大小（または有無）でディジタル情報ビット（１／０）を表現するＡＳＫ（Ａｍｐｌｉｔｕｄｅ  Ｓｉｆｔ  Ｋｅｙｉｎｇ）変調方式や、複数の異なる周波数を送信するデータにより切替えるＦＳＫ（Ｆｒｅｑｕｅｎｃｙ  Ｓｉｆｔ  Ｋｅｙｉｎｇ）変調方式などが用いて、アンテナ１５より電磁波を送出する。
【００４０】
ブザー駆動回路１７はＣＰＵ１１からの指令でブザー１８を駆動し、警告音や操作音を出力できる。
【００４１】
なお、本実施の形態として、電源回路を不要としているが、電源手段としてＡＣ電源回路や交換できる電池を有する構成であってもよい。また、ブザー駆動回路１７とブザー１８は搭載しなくても良い。記憶手段１２は、表示画面１枚分もしくは複数分の表示データを格納できる容量を有し、さらには、電力消費がほとんど無く長時間内容を保持できるものが好ましい。
【００４２】
図３に示すように、電子プリンタシステムを構成する表示装置２（２ａ、２ｂ）は、表示装置２の動作を制御するためのＣＰＵ２１、制御プログラムやデータを保持・記憶するためのＲＯＭやＲＡＭなどのＲＯＭ／ＲＡＭ２２、アンテナで受信した無線周波数から信号を抽出し変調するための復調と変調機能を有したＲ／Ｆ回路２３、アンテナで受信した電磁波から電気エネルギーを抽出し直流電源パワーへ変換するためのＡＣ／ＤＣ変換回路２４、転送装置１との間で電磁波により通信するための送受信アンテナ２５、ＡＣ／ＤＣ変換回路２４で生成した直流電源パワーを蓄えるための蓄電池２６、電子ペーパー部２００ａ、電子ペーパーへの書込み制御をするための記録制御回路２８を備えている。また、電子ペーパー部２００ａには画像表示を行う表示部２７Ｂで構成されている。
【００４３】
また、図３の破線で囲まれた２ＣＭの部分は、無線タグを実現する場合の構成要素と同様のＩＣ回路部であり、識別記号として個別のＩＤを有することができるとともに、本回路部は極めて小型のＩＣで実現できる。ここで、アンテナ２５は転送装置１のアンテナ回路１５から出力された電磁波を受けて電流を発生させ、パワーとデータをＩＣ回路部２ＣＭへ供給する。よって、無線タグＩＣ部２ＲＦは蓄電回路２６からの電力供給なしでも動作可能となっている。例えば、受信する電磁波がマイクロ波の場合、ポール状のアンテナをアンテナ２５に配置して、ＩＣ回路部２ＣＭには、無線ＩＣタグのカードに搭載されているような低消費電力のＩＣチップを用いて構成し、Ｒ／Ｆ回路２３の復調手段でデータ成分を取り出してＣＰＵ２１へ伝え、ＩＣ回路部２ＣＭが転送装置１へ送信するデータは、Ｒ／Ｆ回路２３の変調手段で変調してから搬送波に乗せ、電磁波として戻す。ただし、無線タグＩＣ部２ＲＦにおいて、本実施の形態では、数μＡ程度の微弱電力で動作するような一般の無線タグのチップに比べるとはるかに大きな数百ｍＡ程度の電力を消費する大きなサイズの電子ペーパーへの書込みのための回路に対応する必要があるので、電力を受電するアンテナ２５とそのエネルギーを変換するＡＣ／ＤＣ変換回路２４と蓄電池２６の基本仕様は大きく異なる。例えば、１ＭＨｚの周波数の電磁波を効率的に受信し、アンテナ２５で取り出した低いＡＣ電圧から２５ＶのＤＣ電圧へ昇圧変換して、数百ｍＡの電力供給できるように、その電力を電気２重層コンデンサからなるキャパシタを蓄電池２６として利用してもよい。
【００４４】
さらに、蓄電池２６には、安定した電圧を取り出すための制御回路を内蔵させても良い。
【００４５】
ここで、蓄電池２６の電力は、電子ペーパー部２００ａへの記録動作にも使用される。
【００４６】
図４は、図３における電子ペーパー部２００ａをさらに詳しく説明するための図面で、図４において、（ａ）は書込み動作を説明する断面図、（ｂ）は表示部２７Ｂの構成を示す概要図、（ｃ）は画素を駆動する回路の概要図である。
【００４７】
図４（ａ）は、図３に記載の電子ペーパー２００ａとして、公知の技術である電気泳動方式の電子ペーパーにて構成された構造を示し、図４（ｂ）に示す破線の位置における断面図である。
【００４８】
図４（ａ）に示すように、表示部２７Ｂは、電子インク機能を有するマイクロカプセル２００Ｍ、マイクロカプセル２００Ｍを挟むための光透過性のあるシート２００Ｓ、マイクロカプセル２００Ｍをシート２００Ｓに接合するための非導電性のバインダー２００Ｔを備え、表示面側の前記シート２００Ｓの内側全面には、透明電極２０１Ｓがあり、対抗する背面側のシート２００Ｓの内側には、複数の画素電極２７ＢＳを形成している。
【００４９】
前記マイクロカプセル２００Ｍは、複数の粒子及び染色された懸濁流体２００Ｌで充填される。粒子は、異なる光学的反射特性を有し、さらに、対照的な電気泳動移極性を有しており、例えば、２００Ｋは黒色で＋（プラス）に帯電している粒子で、２００Ｗは白色で−（マイナス）に帯電している粒子を利用し、透明な懸濁流体２００Ｌを充填されたもので構成できる。
【００５０】
なお、本実施の形態として、電子ペーパーの両面を透明なシート２００Ｓとしたが、背面側のシート２００Ｓは不透過のシートや金属シートと絶縁膜による構成であってもよい。
【００５１】
図４（ｂ）に示すように、表示部２７Ｂは、画素電極２７ＢＳ、スイッチング素子２７ＢＴ、横方向の駆動回路２８Ｒ、縦方向の駆動回路２８Ｃを備えている。
【００５２】
表示部２７Ｂには、複数の画素電極２７ＢＳが配置されており、各画素電極２７ＢＳには画素毎にスイッチング素子２７ＢＴを設けている。
【００５３】
図４（ｃ）に示すように、スイッチング素子２７ＢＴのゲート電極とソース電極は、駆動回路２８Ｒと２８Ｃに接続された横方向と縦方向の配線であるソースライン２７Ｃとゲートライン２７Ｒに接続されており、スイッチング素子２７ＢＴのドレイン電極に接続された画素電極２７ＢＳを個別にマトリックス駆動できる。駆動された画素電極２７ＢＳとその対抗する電極２０１Ｓの間には電界が発生されるので、その間に位置しているマイクロカプセル２００Ｍ内で帯電粒子の移動が行われる。
【００５４】
なお、本実施の形態では、駆動回路２８Ｒと２８Ｃを記録制御回路２８と分離させているが、ＩＣ回路部２ＣＭに内蔵させて一体型にすることもできる。さらに、本実施の形態では、１つの画素電極２７ＢＳに１つのスイッチング素子２７ＢＴを設けたが、電源ラインと複数のスイッチング素子を設けてアクティブマトリックス駆動の構成にしても良い。
【００５５】
図５は、転送装置１をフラットパネルディスプレイ形状のモニター装置６に取付けた使用例を示しており、転送装置１が接続されているＰＣ４の記載は省略している。
【００５６】
図５に示すように、転送装置１は、バネで可動するクリップ構造を備え、ＰＣ用のモニター装置６に転送装置１を側面から挟んで取付け固定している。電磁波を出力するアンテナ１５は転送装置１の前面のアンテナ部１ａ内に配置し、他の回路はその周辺部に組み入れる。転送装置１のアンテナ部１ａが本体部やクリップ部１ｃと回動機構で連結しており、モニター装置６の画面に対して任意の角度でアンテナ部１ａの面を回転できる。
【００５７】
なお、取付けに関しては、モニター装置へ粘着材で貼付する固定部材を設け、クリップでその固定部材へ挟んで取付ける構造にすることもできる。
【００５８】
また、転送装置１の本体側面からＰＣ接続用の接続ケーブル５ａがでている。
【００５９】
図６に示すように、シート状の表示装置２を真上から見た場合、表示部を中心として、左上隅部にアンテナ２５が配置され、ＩＣ回路部２ＣＭや記録制御回路２８は図示していないが、アンテナ２５の周辺に配置している。
【００６０】
図７は、実際に表示装置２を使用しているところを示す図であり、表示装置２のアンテナ２５を転送装置１のアンテナ１５に近接させている。
【００６１】
図８は、モニター装置６の表示と表示装置２の表示例を示しており、図８（ａ）は情報を転送する前の表示状態（第１の状態）、図８（ｂ）は情報を転送中の表示状態（第２の状態）、図８（ｃ）は情報を転送完了後の表示状態（第３の状態）を示している。
【００６２】
次に、図９〜図１２により、図１に示した基本システムのデータ動作を詳細に説明する。
【００６３】
図９は、本発明の実施の形態１における情報プログラムの遷移図、図１０は、本発明の実施の形態１における動作概略を示すフローチャート、図１１は、本発明の実施の形態１における情報Ｄ４の構成図である。
【００６４】
図９に示すように、ＰＣ用プログラム３の基本動作は、情報登録、出力設定、処理という３つの動作ブロックで構成される。通常、ＰＣ用プログラム３は、各イベントの発生を待機しており、イベントが発生した場合にその動作ブロックが実行される。
【００６５】
図１０に示すように、ＰＣ４と転送装置１、転送装置１と表示装置２が各々通信して動作している。本図により以下、動作を詳細に説明する。
【００６６】
利用者はＰＣ用プログラム３の図示しないメニュー画面より情報登録モードに入ると（ステップ３１）、ＰＣ４に表示装置２で表示させるための画像や文字などの表示情報や利用者についての個別の属性情報、さらには、表示装置２を管理するための個別情報などを登録する。ここで、表示情報とは、スキャナによりデータ化された画像情報やアプリケーションソフトで作成されたテキストや図やグラフや写真等で構成されたドキュメント情報である。また、利用者とは、情報を見る側の人や情報を管理・提供する側の人など複数人による利用形態もある。そこで、複数の利用者を識別管理するために、氏名や会社内における地位や権限、年齢やセキュリティ管理のためのパスワードなど、様々な個人情報を管理することで、多様化した利便性の提供が可能となる。
【００６７】
次に、ＰＣ４にて、ＰＣ用プログラム３の図示しないメニュー画面から利用者により出力設定のモードに入ると（ステップ３２）、利用者は表示させる情報について各種の出力設定を行う。例えば、表示装置へ送る方法の指定、利用者の指定、表示装置の指定、転送装置の指定、表示装置での表示方法、表示させる期間などを任意に設定する。これらの出力設定情報は、ＰＣ４もしくはＰＣ４に接続される外部記憶装置４Ｍに記録保存する。
【００６８】
表示装置２ａへ送る方法の設定としては、一例として、ＰＣ用プログラム３から転送専用ウィンドウに表示させているモニター装置６上のファイルを、表示装置２ａが転送装置１に近接されて、転送装置１が表示装置２ａを認識したことをＰＣ４にて検知した場合、これをトリガとして、ファイルを表示装置２ａへ転送させるようにできる。
【００６９】
また、ＰＣ４にて表示装置２ａでのファイルの画像表示領域を把握しておき、２枚目の表示装置２ｂが近接された時、続きの画像を表示装置２ｂに表示させるように画像データ転送を制御させることもできる。
【００７０】
ここで、表示させたい情報は、表示装置を所有する利用者やＰＣ４で認証した利用者の個人情報に従って、あらかじめ用意していた処理手順にて登録されている情報を加工して用意することが可能である。
【００７１】
例えば、登録情報の一部のみを表示させたり、複数の情報を合わせたり、表示できる期間を限定させたりといった、様々な情報加工処理や応用が可能である。
【００７２】
以下、ＰＣ４からＩＤを内蔵した表示装置２ａへのファイル転送する例について動作説明を行う。
【００７３】
ここでＰＣ用プログラム３への動作設定（以下、スムーズコピー動作と記す）として以下の動作を設定しているとして説明する。（出力設定例１）ファイル選択：表示装置へ送るファイルとしては、ＰＣ４のモニター装置６に表示されている複数のウィンドウ画面において、その最前面にきているウィンドウの情報を選択する。
【００７４】
出力装置選択：出力可能な表示装置としては、ＩＤ＝ｎ〜ｎ＋２０の範囲にある表示装置への出力で、１台にのみ出力が可能（以下、１台完結出力モードと記す）。
【００７５】
起動選択：動作開始タイミングとしては、出力装置選択でＩＤが事前登録されている表示装置を転送装置１が検知し、ＰＣ４で認識された時に動作を開始する。
・出力条件設定：無条件。
・情報処理選択：ウィンドウ表示画像のファイル転送。
・画像出力指定：水平配置出力（表示装置を横長配置で見る使い方に対応した出力）。
【００７６】
モニター画面表示を縦に対して、表示装置は下に位置する。
【００７７】
（転送装置の取付け位置は、モニター装置の左下。）
・画像処理指定：倍率変換補正は、単純階調平均法。
・動作選択：さらに、そのファイル転送動作における画面表示方法の設定として、
画面同期スクロール動作を有効。・・・この動作は後で解説する。
【００７８】
スクロール表示におけるモニター画面スクロール方向は、縦方向で上から下。
【００７９】
スクロール表示における表示装置の画面スクロール方向は、縦方向で上から下。
【００８０】
スクロール表示におけるモニター画面への追加画像表示は、グレー画像の追加。
【００８１】
表示装置の配置は、モニター画面の下側。
【００８２】
表示装置画面サイズ変換は、モニター画面と同一のウィンドウサイズ。
【００８３】
転送装置１はＰＣ４に接続され電源供給が開始されると、定期的に個別ＩＤを含めた情報Ｄ１を所定信号の電磁波としてアンテナ１５より出力する（ステップ１１）。ＩＤ送出と電磁波供給を兼ねたステップ１１とステップ１２の表示装置検出は連続的に繰返して動作を行う。ここで、図１に示すように、利用者が表示装置２ａを持って転送装置１へ近づけ、さきの電磁波を受信できる距離内に位置したことをステップ２１において受信電力で検出した場合、表示装置２ａはその電磁波のエネルギーを電力として、表示装置２ａの持つ個別ＩＤを含んだ情報Ｄ２を転送装置１へ送出する（ステップ２２）。
【００８４】
転送装置１は、ステップ１２で検出した表示装置２ａの個別ＩＤに転送装置１のＩＤ（ｍ）を含めた情報Ｄ３として、ＰＣ４へ送信する。表示装置２ａはＩＤ送出を行うと、転送装置１からの電磁波を受信して蓄電池２６へエネルギー充電を行う（ステップ２３）。続いて、ステップ２４にて転送装置１からの指令を受信するまで、ステップ２２のＩＤ送出とステップ２３の充電動作を繰り返しながら待っている。
【００８５】
ここで、本例では、表示装置２を転送装置１に近接させて利用することを考慮して、転送装置１からの供給電力量の大きさに応じて距離を把握し、表示装置２の通信動作開始を制限させるようにしている。
【００８６】
なお、転送装置１と表示装置２の通信距離を近傍（７０ｃｍ以下）型として延長させるような場合は、表示装置２からのＩＤ送出に際しては、複数の表示装置を近かづけた場合に起こる同時タイミングによる送出動作の衝突を回避するために、ステップ２１の電磁波受信をトリガとして乱数によるＩＤ送出タイミングの設定を行い、同時出力の発生確立が下がるような手段を講じてもよい。
【００８７】
ＰＣ４は、転送装置１から表示装置２ａまたは２ｂの検出とそのＩＤ情報が送られてきて、あらかじめステップ３２で出力設定されている個別情報から出力装置選択している表示装置であるかどうかを判断する（ステップ３３）。また、表示装置のＩＤからその装置の仕様（例えば、解像度や画素数）を把握し、さらに、指定の出力条件を満足していることを確認すると、次に、ステップ３２で設定された出力設定情報に従い、情報処理を行う（ステップ３４）。
【００８８】
ここでは、モニター装置６の画面上において、最前面ウィンドウＷ１に資料Ｙを表示していて（図８（ａ））、さらに、この表示ウィンドウの画像をＩＤ＝ｎ〜ｎ＋２０の表示装置に転送するように設定しているので、前記情報処理としては、ＩＤ＝ｎ＋１の表示装置２ａを認識したことで、その表示装置２ａの表示解像度とモニター装置６の表示解像度からウィンドウサイズを同一にするための、画像データの画素倍率変換処理を指定の単純平均階調処理で行って転送するデータを作成し、さらに、モニター装置６のウィンドウＷ１の表示データを任意の画素数行分（例えば、２画素行分）スクロールさせて表示を書き換える。ここで、モニター装置６のウィンドウＷ１に新たに追加される画像は、設定にしたがってグレー画像のデータが上部２画素行分に付加される。
【００８９】
データ作成においては、モニター装置６と表示装置２のそれぞれの画素数と画素サイズから決まる比率により、見かけのサイズを同一化させる処理をする。例えば、モニター装置６が２０４８×１５３６の画素数で、表示装置２ａが１０２４×７６８の画素数で、これらの画素サイズが同一で水平配置出力の場合、ファイル転送先の表示装置２ａがモニター装置６の１／２の画素数であるため、見かけのサイズを同一にするために画素数を縦横ともに１／２に間引く処理が必要である。ここで指定した単純平均階調処理とは、縦横２×２画素の４個の画素情報を平均することで、１画素のデータを作成する処理を示す。また、ウィンドウＷ１の外側に相当する領域は、白もしくは黒の固定データを作成する。
【００９０】
その情報処理後、ＰＣ４はモニター装置６の最前列ウィンドウに表示している資料Ｙの画像データに相当する倍率変換処理後の最下列データを取り出し、画像出力の指令を表示装置２ａを検出しているＩＤ＝ｍの転送装置１へ情報Ｄ４として送信する（ステップ３５）。情報Ｄ４は、図１１に示すように指令情報として、装置動作を指示する情報である動作指令（本例では画像表示）、指令先を示す転送装置ＩＤと表示装置ＩＤ、転送する画像データ（本例では資料Ｙの画像の１行分のデータとその周囲の余白データ）と動作指令に関する詳細を設定する指令付属情報等を備えている。なお、本実施例の指令付属情報には、画像表示動作における付属動作設定として、ウィンドウサイズを同一にした画面同期スクロール動作等の指令付属情報が含まれている。
【００９１】
転送装置１が、ＰＣ４からの指令情報Ｄ４を受信すると（ステップ１３）、その指令を処理する。ＩＤ＝ｎ１の表示記録装置２ａが転送装置１の受信可能範囲内に位置しているかどうかを転送装置１は検出し把握しているので、範囲内にある場合は、指令処理として、画像送信を行う。画像送信では、ＩＤ＝ｎ＋１の表示装置２ａへの出力であることを示す指令情報とともに資料Ｙの画像情報と指令付属情報を情報Ｄ５としてアンテナ１５より送信する（ステップ１４）。なお、指定の表示装置２ａが検出できない場合は、転送装置１は表示装置２ａを検出できるまでステップ１１からステップ１２を繰り返しながら待機する。
【００９２】
表示装置２ａは、転送装置１を経由したＰＣ４からの情報Ｄ５を受信する（ステップ２４）と、表示描画処理に入る（ステップ２５）。
【００９３】
ここで、受信した画面同期スクロール動作という画像表示動作は、まず、図８（ａ）に示すように、表示装置において表示している内容をクリアし、何も表示されていない第１の状態にし、次に、受取った１行分の画像データを、表示装置２ａで表示描画する。
【００９４】
表示装置２ａの表示描画では、図３に示すように、受信した画面１行分の画像データをＣＰＵ２１は、記録制御回路２８に送る。記録制御回路２８は、書き換える画素に対応した列方向の駆動回路２８Ｒと行方向の駆動回路２８Ｃを駆動制御させて、表示部２７Ｂの電子ペーパーに画像を書き込む。
【００９５】
ここで、画素電極２７ＢＳの駆動は、パッシブ方式でも、アクティブ方式でもよい。
【００９６】
表示描画処理にて、受信した１行分の表示情報書込みが完了すると、指令情報やＩＤ情報とともに指令処理完了の信号Ｄ６を転送装置１へ送信する（ステップ２６）。
【００９７】
転送装置１は、表示装置２ａからの指令完了を受信すると（ステップ１５）、応答信号Ｄ７をアンテナ１５より出力し、続いて、指令完了情報Ｄ８をＰＣ４へＰＣ  Ｉ／Ｆ１３ａから送信し（ステップ１６）、ＰＣ４からの応答を待つ（ステップ１７）。
【００９８】
ＰＣ４は、ステップ３５で指令出力した後は、ステップ３６へ進み、転送装置１からの指令完了情報Ｄ８を待っており、指令完了情報Ｄ８を確認すると応答信号Ｄ９を転送装置１へ送信し、処理記録（ステップ３７）へ進む。処理記録において、ＰＣ４は指定の処理の一部が完了したことの履歴情報を図示していないＰＣ４内の記憶手段、または、ＰＣ４に接続された外部記憶装置４Ｍに記録する。例えば、画面同期スクロール動作の転送した行数を累積カウントし、その値や複写先の表示装置のＩＤや複写時間等のログ情報を記録させる。
【００９９】
そして、上記一連の動作をモニター装置６上の最前列ウィンドウ画面の行数分だけ繰り返し行う。図８（ｂ）は、数行分のデータ転送とそのスクロール表示が行われた後の第２の表示状態を示す図であり、最初に表示していたウィンドウ画像がスクロールされ、その後に追加画像Ｗ１ａが表示されている。また、スクロールされた行数の同じ数の行数の画像データが表示装置２のウィンドウＷ２１に表示している。図８（ｃ）は、ウィンドウＷ１に表示されていた全画像が表示装置２へ転送された後の表示状態を示す図であり、表示装置２には当初モニター装置６のウィンドウＷ１に表示してた画像と見かけが同一の画像を表示している。
【０１００】
上記の画像転送指令では、さらに、最前列ウィンドウ画面に表示していない部分の資料Ｙの未転送の画像データを画素倍率変換処理し追加して、表示装置２ａのＲＯＭ／ＲＡＭ２２へ画像の位置関係を示す情報（例えば、行数ラベル）を付加したデータとともに、資料Ｙ全ての画像データを転送することもできる。
【０１０１】
転送装置１は、ＰＣ４からの応答信号Ｄ９を受信し確認すると（ステップ１７）、最初のステップ１１へ戻り、上記一連の転送装置の動作を繰り返す。
【０１０２】
なお、表示装置２ｂが転送装置１へ近接された場合に、出力設定が１台完結出力モードではなく、複数台同一複写出力モードであれば、同様の動作をあとから転送装置１へ近接させた表示装置２ｂやＩＤが指定範囲にある他の表示装置２ｘに対して繰り返し動作する。
【０１０３】
また、表示装置２ｂが転送装置１へ近接された場合に、出力設定が１台完結出力モードではなく、複数台連続出力モードであれば、表示装置２ａに転送させて表示させている資料１の画像データのつづきの部分（ページであれば次のページに相当する画像）を表示装置２ｂへ転送するようにしてもよい。
【０１０４】
なお、ステップ３２において、記録している出力設定に、何も指令すべき設定がない場合は、図９に示すイベント待ち状態へ遷移する。
【０１０５】
このような構成によれば、本発明の電子プリンタシステムは、転送装置１により表示装置２ａや２ｂと非接触で通信し、表示装置２ａや２ｂを検知し、表示装置の固体識別情報をＰＣ用プログラム３で認識させることにより、固体識別情報に基づいて、事前に設定・登録された情報や処理手順から多様なデータ処理を行うとともに、任意の転送装置へ画像情報と動作命令を送り所望する表示装置への表示を制御・管理することができる。
【０１０６】
また、電力を表示装置へ無線供給するので、コードレスの場合、連続動作時間の長さに比例して体積が大きくになる電源部が不要で、ＡＣ／ＤＣ変換回路２４とアンテナ２５と小容量の蓄電池２６のみで構成できるために、表示装置を軽量で薄くすることができる。
【０１０７】
また、ユーザーインタフェースにおいては、出力設定をした後は、表示装置を転送装置に近づけるだけで、任意の表示装置に、所望の情報を転送し表示できるので、簡単な操作で、机の上に設置場所をとるプリンタ装置が不要で、ユーザーの作業している場所で紙にちかいかたちでコピーを得ることができる。さらに、視覚的にモニター装置の画面表示から表示装置へ画像データが流れるように見せることで、あたかも情報を記載した紙が手に持った表示装置へ変換されるという錯覚になるので、情報がリアルタイムで転送されているということを実感できるような従来にないプリンティングソリューション環境を提供できる。
【０１０８】
また、電子ペーパーは繰返し書込みと消去が可能であるため、作成資料の試し印刷などで無駄にしていた紙資源の削減目的に、利用できる。
【０１０９】
また、取付けたモニター画面に対して転送装置のアンテナ部の角度を任意の角度に回動して、転送装置と表示装置のアンテナ間の結合率が向上し、無線通信と電力供給の効率化ができる。
【０１１０】
また、データ転送が完了する前の途中で、表示装置が移動され通信不可能状態になり、処理が中断しても、処理の途中経過情報を管理することで、再度、表示装置を転送装置に近づけ通信可能な状態になった場合に、残りの複写情報のみを転送することができ、動作の安定性向上が可能となる。
【０１１１】
なお、本実施の形態の説明において、情報処理として資料Ｙの情報から電子ペーパーに表示できるサイズに関する画像情報の処理例を記したが、利用者の属性から資料Ｙの一部のみを表示する画像情報として処理させることや、別の情報を資料Ｙに付加させて画像情報として処理させるなど、多様な情報処理をさせることで、利用者への注意喚起・再確認・情報の要約による効率化・宣伝効果などの様々な利便性を実現できる。
【０１１２】
例えば、元の画像データを図１２（ａ）とした場合、図１２（ｂ）に示すように、複写の利用者の氏名情報Ｄａ１を画像に付加できる。また、図１２（ｃ）に示すように、期間や場所についての画像表示制約の情報Ｄａ２を画像に付加することもできる。
【０１１３】
また、本実施の形態において、スクロール表示はモニター装置の下側に位置する表示装置に対して上から下へ流れるような表示制御を行っているが、表示装置の使い方に合わせて、転送装置を表示装置へ取付け、その位置関係に合わせて、表示装置の位置を設定し、転送する際の画像が左から右へ流れたり、下から上に流れたり、右から左へ流れたりなど、様々な設定を可能にしても良いこと言うまでもない。
【０１１４】
さらに、表示のさせ方においては、本実施の形態では、モニター装置側の画像表示をスクロール表示としグレー画像の行を上から追加させていたが、当初は隠れて表示されていなかった前もしくは後に相当する画像を追加で表示させたり、スクロール表示なしで転送済み部位の画像を白黒反転表示させたり、画像の濃度や色を変化させて、ユーザーに画像の転送部位を知らせることもできる。
【０１１５】
さらに、本実施の形態において、転送装置はケーブルでＰＣと接続したが、Ｂｌｕｅｔｏｏｔｈや無線ＬＡＮなどの無線通信手段で接続することができる。
【０１１６】
（実施の形態２）
図１３は、本発明の実施の形態２における電子プリンタシステムの構成図である。図１４は、本発明の実施の形態２における表示装置の構成を示す図、図１５（ａ）は表示画面と操作の第１の状態を示す図、図１５（ｂ）は表示画面と操作の第２の状態を示す図である。
【０１１７】
図１３に示すように、転送装置１にＰＣ４用の既知のマウス機能を付加している転送装置１Ｍが、表示装置２の横に置いている。転送装置１Ｍの底面部には、図示していないアンテナ１５を内蔵している。前記マウス機能とは、ＰＣ用のポインティングデバイスとして一般的に利用されているマウス装置と同様の機能で、その位置移動の変移量を測定する手段や複数のスイッチを備え、それらの情報をＰＣと通信できる手段を備えたものである。なお、ＰＣ４は省略し図示していない。
【０１１８】
図１４に示すように、実施の形態２の表示装置２は右下と左下の２箇所の隅にアンテナ２５を配置し、備えている。なお、表示部とその記録制御回路を除く回路は、表示装置の一辺のみに配置することが好ましい。
【０１１９】
図１５（ａ）に示すように、マウス機能を有する転送装置１Ｍを動かして、モニター画面内に表示しているウィンドウＷ１をマウスカーソルで選択し最前面表示させ、そのウィンドウＷ１内で転送装置１Ｍの右ボタンをクリックさせて出力設定モードを起動して、動作メニューＤｍ１を表示し、所望の動作をカーソルで選択し出力設定例１のような設定を行う。本図では、ファイル転送における１台完結出力モードを意味する「完結」を選択したところをモニター画面に表示している。
【０１２０】
そして、図１５（ｂ）に示すように、通信モードを近接通信にしている転送装置１Ｍを表示装置１のアンテナ部２５に重ねるように置くと転送装置１Ｍと表示装置２の間で、通信動作が開始され、ウィンドウＷ１に表示している画像データのみが表示装置２へ順次転送され、ウィンドウＷ２１にように表示される。ＰＣ４と転送装置１が、モニター装置６の最前列ウィンドウ画面Ｗ１に当初表示していた画像データに相当する量の情報処理をした画像データを表示装置２へ送り終えると、最前列ウィンドウ画面Ｗ１に表示していない部分の資料Ｙの未転送の画像データを画素倍率変換処理し追加して、表示装置２へ画像の位置関係を示す情報（例えば、行数ラベル）を付加したデータとともに、資料Ｙ全ての画像データを転送する。
【０１２１】
なお、操作方法が図８（ｂ）の場合とかわっただけで、その画面表示の動作は同様に画面同期スクロール動作を行っていることを図示している。
【０１２２】
さらに、資料Ｙの全てのデータ転送が完了した後で、転送装置１に備えたブザー１８をブザー駆動回路１７で動作させ、利用者へ音で完了を報知する。
【０１２３】
このような構成によれば、表示装置２を机に置いた状態のままで、マウス機能内蔵の転送装置１Ｍの操作だけで、ＰＣ４からの情報と電力を表示装置２へ転送・供給できる。さらに、表示画像データの転送完了した行数を監視しておけば、転送装置１Ｍを転送途中で表示装置２ａから別の表示装置２ｂへ移動させても、次の行からの表示画像を継続して転送させるような、操作と転送という動作の連携性を向上させることができる。
【０１２４】
また、表示部に比べて比重が重くなったり、柔軟性の少ない硬い構成になるような周辺回路を、表示装置の一辺にアンテナとともに配置しているので、利用者は表示装置を見る場合、手に持ちやすいので、疲れにくい。
【０１２５】
さらに、転送装置１に発光手段や振動発生手段を備えることで、音だけではなく、光や手への振動で利用者に動作の完了を報知することができ、聴覚障害者における利便性や全ての利用者への認知力向上を図れる。なお、ブザーなどの前記報知手段を転送装置に備えるとしているが、これら利用者への報知手段（例えば、音や光や振動などを出力する手段）を表示装置に備えると、より好ましい。
【０１２６】
同様に、転送装置１がＬＣＤやＬＥＤなどによる表示手段を備えてもよい。
【０１２７】
（実施の形態３）
図１６は、本発明の実施の形態３における電子ペーパー駆動回路の概要図、図１７は、本発明の実施の形態３における画素駆動回路の構成を示す図である。図１６において、図４（ｂ）と同じ構成要素については同じ符号を用い、説明を省略する。
【０１２８】
さらに、図１０に示す表示装置２の表示描画処理部分と合わせて詳細に説明する。
【０１２９】
図１０に示すステップ２４において、表示装置２ａでは、画面同期スクロール動作による画像出力指令であることを認識すると、一緒に送られてくる資料Ｙの１行分の画像情報を内蔵するＲＯＭ／ＲＡＭ２２へ格納する。
【０１３０】
表示装置２ａはステップ２５において、受信した画像データについて、指令付属情報に基づいて画像処理を行い（ただし、前記指令ではＰＣ４で処理済みであるため等倍率描画でよいため、表示装置側では何もしない）、その処理後の画像データを記録制御回路を介して電子ペーパー２００ａへ書込む（描画処理）。
【０１３１】
なお、ＰＣ４から資料Ｙの画像データが無処理で転送され、表示装置側で拡大もしくは縮小表示させることも可能である。
【０１３２】
前記描画処理の具体的な動作を図１６〜図１８で説明する。
【０１３３】
図１６に示すように、各画素電極２７ＢＳは画素駆動回路２７ＳＣに接続され、同一列の画素駆動回路２７ＳＣは列方向の駆動回路２８Ｃからの同一ソースライン２７Ｃ（ｘ）で接続し、同一行の画素駆動回路２７ＳＣは行方向の駆動回路２８Ｒからの同一ゲートライン２７Ｒ（ｘ）で接続している。
【０１３４】
図１７に示すように、画素駆動回路２７ＳＣは、ＡＮＤとＯＲの論理回路とフリップフロップ回路２７ＦＦとバッファ回路２７ＢＦを備え、２つの画素入力Ｇ１とＧ２を、入力Ｓでこれら画素入力信号を切替え、クロックＫでフリップフロップ回路２７ＦＦに選択した画素入力データを保持できる。フリップフロップ回路２７ＦＦに保持した信号の出力はＱとＱとは逆論理の＊Ｑがあり、＊Ｑはバッファ回路２７ＢＦの入力に接続している。ここで、バッファ回路２７ＢＦの出力Ｏは、画素電極２７ＢＳに接続して、これを駆動する。
【０１３５】
画素駆動回路２７ＳＣで保持した信号出力Ｑは、同一列の次の行の画素駆動回路２７ＳＣの画素入力Ｇ１に接続し、同様に全ての列をカスケードに接続している。
【０１３６】
図１８に示すように、モード切替信号２７ＭにＨレベルを出力し、画素駆動回路２７ＳＣのＳ入力をＨレベル（以下、ダイレクトモードと記す）にすれば、行方向の駆動回路２８からの出力データをパルス印加したゲートライン２７Ｒ（ｎ）へ直接的に画素データを書き込むことができる。例えば、最初に表示画像を全てクリアする場合は、列方向の駆動回路２８Ｃから全てのソースライン２７Ｃに同一の値２７ＣＣにＬレベルを出力しておき、全てのゲートライン２７Ｒへ行方向の駆動回路２８からパルス２７Ｐを印加して画素駆動回路２７ＳＣに書き込むことで可能となる。なお、同一の値２７ＣＣはＨレベルにして、表示濃度を反転させておくこともできる。
【０１３７】
つづいて、モード切替信号２７ＭにＬレベルを出力し（以下、シフトモードと記す）、全ての画素駆動回路２７ＳＣのＳ入力を＝Ｌレベルにした状態で、最終列側のゲートライン２７Ｒ（ｘ）から、１ラインづつ順番にパルスをゲートライン２７Ｒへ印加していけば、一つ上の行の画素データを下の行に１行づつ複写されるので、下の列から順番に複写が進み、結果として１ラインのスクロール描画ができる。ここで、ゲートライン２７Ｒ（ｘ）から２７Ｒ（２）までのパルス印加期間においては、駆動回路２８Ｃの信号出力２７ＣはＬ／Ｈどちらのレベルであってもよい（２７ＣＢ）。
【０１３８】
なお、１行目の画素駆動回路２７ＳＣのＧ２入力はＧ１と同じで、かつ、駆動回路２８の出力信号を接続しているので、行方向の駆動回路２８から１行目のゲートライン２７Ｒ（１）にパルスを出力する時に対応させて、駆動回路２８Ｃから１行分の画素データ２７ＣＮを出力しておくと、新たなデータが１行目の画素駆動回路２７ＳＣに書込まれる。
【０１３９】
前記スクロール動作を全行数分だけ繰り返せば、ウィンドウ表示画像を表示装置２へ１行づつ移動させたように表示して見せることができる。
【０１４０】
このような構成によれば、本発明の電子プリンタシステムの表示装置２では、通常のアクティブマトリックス回路でスクロール表示させる時に比べて、表示部へ少ない書込み回数でスクロール表示書込みできることから、消費電力の節約ができる。さらに、シフトモードに限定して表示部のデータ書込みを行う場合は、画面全面分のメモリ容量が不要で１ライン分のメモリ容量を備えるだけで構成できる。
【０１４１】
（実施の形態４）
図１９は、本発明の実施の形態４における表示装置のブロック図である。図１９において、図３と同じ構成要素については同じ符号を用い、説明を省略する。
【０１４２】
図１９に示すように、電子プリンタシステムを構成する表示装置の受信部２Ｒは、ＣＰＵ２１、ＲＯＭ／ＲＡＭ２２、Ｒ／Ｆ回路２３、ＡＣ／ＤＣ変換回路２４、送受信アンテナ２５、蓄電池２６、記録制御回路２８、電子ペーパー部２００ａを接続するためのコネクタ２９Ａを備えている。さらに、表示部２７Ｂを持つ電子ペーパー部２００ａにもコネクタ２９Ｂを備えている。コネクタ２９Ａとコネクタ２９Ｂは接続でき、電子ペーパー２００ａは、コネクタ２９Ｂで表示装置受信部２Ｒと結合できる。
【０１４３】
このような構成によれば、本発明の電子プリンタシステムの表示装置２では、１つの表示装置受信部２Ｒで複数の電子ペーパー部を交換しながら書込むことができる。さらに、電子ペーパー部には受信部２Ｒが含まれないことから、電子ペーパー部をより安価で提供することができる。
【０１４４】
（実施の形態５）
図１に示した電子プリンタシステムは基本構成を示した図であったが、さらに、ＰＣ４にネットワークを備え、そのネットワークにサーバー装置を備えることが好ましい。
【０１４５】
この場合、サーバー装置上で電子プリンタシステムのための管理用プログラムを動作させる。例えば、前記管理用プログラムは、表示装置へ転送する資料などのデータや利用者の認証情報を管理する手段を備える。ここで、管理用プログラムは、複数の転送装置１のＩＤやＰＣについての装置管理も行う。
【０１４６】
また、ＰＣ用には電子プリンタシステムのためのサーバー対応用プログラムを動作させる。
【０１４７】
前記サーバー対応用プログラムは、利用者とのマンマシンインタフェースとして操作手段を提供するとともに、接続されている転送装置からの通信データを中継してサーバーへ転送したり、ＰＣ４内のモニター装置６へ表示しているデータやその管理情報をサーバーへ報告する機能を備えている。
【０１４８】
このような構成によれば、本発明の電子プリンタシステムでは、ネットワークに接続したＰＣからサーバーが保管する資料を表示装置へ転送させることができる。
【０１４９】
さらに、表示装置への出力設定と、表示装置への出力動作を異なるＰＣや転送装置で行うことが可能となる。
【０１５０】
前記、表示装置への情報転送動作において、各装置のＩＤ認識と利用者の認証を付加すれば、サーバーによるデータベース情報との連携が可能となり、著作権維持やセキュリティ管理の範囲が拡大可能となることで、様々なソリューションに対応できるしくみを構築できる。
【０１５１】
なお、本実施の形態では、サーバー装置とサーバー装置上で動作する管理用プログラムで構成した例を説明したが、サーバー装置なしで、ピアツーピア方式に対応させたＰＣ用プログラムを複数のＰＣに搭載し、ネットワークで接続されたＰＣと接続された転送装置を本ＰＣ用プログラムで共有管理し、前記と同様の効果を得ることができる。
【０１５２】
ただし、この場合は、利用する前にＰＣ用プログラムを起動して、転送装置や他の利用するＰＣを設定・認識させる準備作業が伴う。
【０１５３】
（実施の形態６）
図３，図４・，１９に示した表示装置２の電子ペーパーへの記録部は有機半導体により回路を構成することができる。特に、図４（ｂ），（ｃ）に示したスイッチング素子２７ＢＴは有機系電界効果トランジスタを用いることが望ましい。
【０１５４】
例えば、導電性高分子であるＰＥＤＯＴ（ｐｏｌｙ−ｅｔｈｙｌｅｎｅｄｉｏｘｙｔｈｉｏｐｈｅｎｅ）をインクジェット法で描画して、ソース、ドレイン、ゲートを形成し、ソースとドレイン上には膜圧を３０ｎｍ以下にした共役系高分子の半導体層をスピンコート法で形成し、その上には膜圧５００ｎｍの高分子絶縁体層をスピンコート法で形成して、その上にゲートを形成することで、トップゲート構造のＴＦＴを実現できる。
【０１５５】
このような構成によれば、表示装置２もしくは、電子ペーパー部をより薄型に軽量化が可能となる。
【０１５６】
（実施の形態７）
前述の転送装置１や表示装置２に搭載したアンテナを有機材料により構成することができる。
【０１５７】
図２０は、本発明の実施の形態７におけるアンテナ部の作成工程を示す断面図、図２１は、本発明の実施の形態７におけるアンテナパターンを示す図である。
【０１５８】
図１３に示すように、アンテナは、金属板ＡＭ、磁性体ＡＵ１・ＡＵ２、導体パターンＡＰ、絶縁体ＡＺで構成する。ここで、転送装置１の表示装置２に接する側の反対面からは不要な電磁界の放射を防止するため、アンテナ部の片面にアルミなどの金属シートを用いる。前記磁性体とは、磁性材もしくは、磁性材、誘電体の無機材料と高分子有機材料を混合したハイブリッド材料を備える。
【０１５９】
アンテナ作成においては、図２０（１）に示すように、金属板ＡＭの上に絶縁体シートＡＺＳを貼付し、その上にインクジェット法により抵抗値の低い銀ペーストや導電性の高い有機材料を図２１（ａ）に示すように塗布する。ここで、温度１００〜３００℃で低音焼成を施し、１層目のアンテナパターンを形成させる。次に、絶縁性材料ＡＺ（例えば、フォトレジストやエチルセルロースやＰＤＰで用いられているようなアルカリ現像型絶縁ペースト）にて、前記アンテナパターンを覆うようにする（図２０（２））。ただし、図２１に示すように、積層して上位層する部位ＴＰは絶縁材料の塗布をしない。
【０１６０】
図２０（３）に示すように、アンテナパターンの内側に磁束を集束するために磁性体ＡＵ１を、外側に磁性体ＡＵ２を配置する。さらに、前記アンテナパターンの直ぐ上に重なるように導体パターンＡＰを塗布する（図２０（４））。ここで、アンテナはらせん状にコイルを形成させるので、図２１（ｂ）に示すように形成し、ＴＰ２とＴＰ３の部位にて接続される。次に、絶縁性材料ＡＺで再度アンテナパターンを覆う（図２０（５））。
【０１６１】
このように、奇数層と偶数層で図２１（ａ）と図２１（ｂ）のパターンを間に絶縁層を設けながら交互に積層することで、コイル状アンテナを形成する。また、最下層のＴＰ１と最上層のＴＰ４からは、図示していない外部の部品に接続するための導電パターンを備えている。最後に、コイルのアンテナパターンを絶縁性材料ＡＺで覆う。
【０１６２】
なお、磁性体ＡＵ１やＡＵ２は、事前に形成したものを搭載しているが、アンテナパターンと同様にペースト状にした材料を層状に塗布と低温焼成を施しながら、段階的に形成しても良い。
【０１６３】
このシート状のアンテナにおいて、アンテナパターンから引き出した導電パターンの端部に接触させるように、周辺回路を内蔵させたＩＣチップを搭載することで、装置を構成する。
【０１６４】
なお、表示装置２のアンテナでは、先のシールド用の金属板は無くても良い。
【０１６５】
非接触にて電力伝送を転送装置と表示装置間で行う場合は、電磁誘導を利用することができ、一般的に、ＰＨＳ端末や電気カミソリの電源充電回路に使用されているコイルによるアンテナでは、その電力伝送効率は２０〜３０％程度と低く、かつ、取り出し電圧を高めるために巻き数を多くしたコイルがフェライトコアに巻かれていたため、大きさも大きくなっていた。
【０１６６】
本実施の形態では、１００ｋＨｚ以上の高い周波数で送受電を行うことで、有機材料の使用が可能になり、効率も向上できる。
【０１６７】
よって、このような構成によれば、転送装置１や表示装置２をより小型・薄型にし、軽量化が可能となる。
【０１６８】
（実施の形態８）
前述の表示装置２には、蓄電池の残量検出手段を内蔵させることができる。さらに、電子ペーパーの表示部の一部、もしくは、別に設けた専用の表示部にその残量検出結果や転送装置との通信接続状態や受電感度などのステータス情報を表示させることができる。
【０１６９】
ここで、残量検知手段とは、複数の電圧比較回路と専用のキャパシタを備え、異なる閾値で蓄電池の電圧を電圧比較回路にて比較し、その電圧レベルに応じた複数の検出信号を出力する回路である。残量検知手段専用のキャパシタは、逆流防止用のダイオードにて蓄電池と接続し、蓄電池の電圧が低下した後も、より長く検出動作を継続させている。
【０１７０】
表示方法としては、前記複数の検出信号の先に電極を接続し、電極の上に電子ペーパーを形成するように電子インクとＧＮＤ接地した対向電極を備え、検出信号のＬレベルもしくはＨレベルに応じて、その表示濃度が変化する表示セルを複数個ならべてインジケーターを構成することで、表示できる。
【０１７１】
なお、検出信号を表示装置２の２１で読取り、その結果に応じて表示部２７Ｂへ画像パターンを描画するように記録制御することで、残量を表示させても良い。
【０１７２】
さらに、残量検知は、蓄電池の残電圧のみだけでなく、アンテナ２５の受電後の電圧を検出するように備えることもできる。
【０１７３】
このような構成によれば、表示装置２の利用において、表示書換えのページ数や表示書換え完了までの速度予測、さらに、転送装置との通信状況や電力不足で動作できなくなるまでの時間を把握でき、表示装置の利用位置の確認や携帯時の利用性向上が可能となる。
【産業上の利用可能性】
【０１７４】
本発明にかかる電子プリンタシステムは、可搬性の高い表示装置に情報を簡単に転送し表示でき、さらに、表示装置と表示する情報を管理できる。
【０１７５】
よって、情報の複写や配布を手軽に行うことができ、かつ、無駄な紙出力の削減と紙では不可能であった出力情報のセキュリティ管理を実現できる。
【図面の簡単な説明】
【０１７６】
【図１】本発明の実施の形態１における電子プリンタシステムの構成図
【図２】本発明の実施の形態１における転送装置のブロック図
【図３】本発明の実施の形態１における表示装置のブロック図
【図４】本発明の実施の形態１における電子ペーパーの説明図
【図５】本発明の実施の形態１における転送装置を取付けた概要図
【図６】本発明の実施の形態１における表示装置の構成を示す図
【図７】本発明の実施の形態１における使用時の操作を示す概要図
【図８】本発明の実施の形態１における使用時の表示例を示す図
【図９】本発明の実施の形態１における情報プログラムの遷移図
【図１０】本発明の実施の形態１における動作概略を示すフローチャート
【図１１】本発明の実施の形態１における情報Ｄ４の構成図
【図１２】本発明の実施の形態１における画像データの説明図
【図１３】本発明の実施の形態２における電子プリンタシステムの構成図
【図１４】本発明の実施の形態２における表示装置の構成を示す図
【図１５】本発明の実施の形態２における使用時の表示と操作を示す図
【図１６】本発明の実施の形態３における電子ペーパー駆動回路の概要図
【図１７】本発明の実施の形態３における画素駆動回路の構成を示す図
【図１８】本発明の実施の形態３における画素駆動回路の動作タイミングチャート
【図１９】本発明の実施の形態４における表示装置のブロック図
【図２０】本発明の実施の形態７におけるアンテナ部の作成工程を示す断面図
【図２１】本発明の実施の形態７におけるアンテナパターンを示す図
【符号の説明】
【０１７７】
１、１Ｍ    転送装置
２    表示装置
２ａ、２ｂ    表示装置
２ＣＭ    ＩＣ回路部
３    ＰＣ用プログラム
４    ＰＣ
５ａ、５ｂ    接続ケーブル
６    モニター装置
１１、２１    ＣＰＵ
１２、２２    ＲＯＭ／ＲＡＭ
１３ａ    ＰＣ  Ｉ／Ｆ
１４    アンテナ駆動回路
１５、２５    アンテナ
１６、２６    蓄電池
１７    ブザー駆動回路
１８    ブザー
２３    Ｒ／Ｆ回路
２４    ＡＣ／ＤＣ変換回路
２７Ｂ    表示部
２７ＢＳ    画素電極
２７ＢＴ    スイッチング素子
２７ＳＣ    画素駆動回路
２７Ｒ    ゲートライン
２７Ｃ    ソースライン
２８    記録制御回路
２８Ｃ    駆動回路
２８Ｒ    駆動回路
２００ａ    電子ペーパー部
２００Ｓ    シート
２００Ｍ    マイクロカプセル
２００Ｔ    バインダー
２０１Ｓ    共通電極
【図１】
2008258879.tif 000003
【図２】
2008258879.tif 000004
【図３】
2008258879.tif 000005
【図４】
2008258879.tif 000006
【図５】
2008258879.tif 000007
【図６】
2008258879.tif 000008
【図７】
2008258879.tif 000009
【図８】
2008258879.tif 000010
【図９】
2008258879.tif 000011
【図１０】
2008258879.tif 000012
【図１１】
2008258879.tif 000013
【図１２】
2008258879.tif 000014
【図１３】
2008258879.tif 000015
【図１４】
2008258879.tif 000016
【図１５】
2008258879.tif 000017
【図１６】
2008258879.tif 000018
【図１７】
2008258879.tif 000019
【図１８】
2008258879.tif 000020
【図１９】
2008258879.tif 000021
【図２０】
2008258879.tif 000022
【図２１】
2008258879.tif 000023